(57)【要約】      （修正有）【課題】公知技術のハンガー装置調節の不便を解消して、昇降を円滑に行い、かつ外観の美化を図ること。【解決手段】椅子２０、台座２１および椅子背もたれ２３を含み、椅子背もたれ２３にハンガー装置２４を併せて設け、その調節棒装置２６は昇降歯形片、昇降函固定片、上蓋鉄片より構成し、調節棒装置２６により、ハンガー装置２４を駆動して昇降滑り動作をして高さを調節し、さらに、ローラー装置を上蓋鉄片中央部の凹み溝に設ける。【選択図】図２
2007075584.tif 000002
【特許請求の範囲】
【請求項１】
座席と台座と椅子背もたれハンガー装置と調節棒装置とより構成し、
前記座席は台座上面に設けられ、椅子背もたれを連結して設け、
前記台座は座席の下部端面に連結して設け、
前記椅子背もたれは椅子背もたれ本体と椅子背もたれケースより構成し、
前記ハンガー装置は、調節棒装置および椅子背もたれ固定装置に連結し、
前記調節棒装置は昇降歯形片、昇降函固定片及び上蓋鉄片とにより構成し、
前記調節棒装置に昇降歯形片の作動時の摩擦力を和らげるローラー装置を設けたことを特徴とする、
ハンガー装置付き椅子の構造。
【請求項２】
前記調節棒装置はハンガー装置を駆動して、昇降滑り移動を操作することを特徴とする、請求項１記載のハンガー装置付き椅子の構造。
【請求項３】
前記昇降歯形片は長い棒形状部材であることを特徴とする、請求項１記載のハンガー装置付き椅子の構造。
【請求項４】
前記昇降歯形片上に歯形を設けることを特徴とする、請求項３記載のハンガー装置付き椅子の構造。
【請求項５】
前記昇降歯形片上に複数組の歯形溝を設けることを特徴とする、請求項３記載のハンガー装置付き椅子の構造。
【請求項６】
前記上蓋鉄片の中央部に凹み溝を設けることを特徴とする、請求項１記載のハンガー装置付き椅子の構造。
【請求項７】
前記凹み溝が昇降歯形片を収容できることを特徴とする、請求項６記載のハンガー装置付き椅子の構造。
【請求項８】
前記上蓋鉄片の凹み溝内部にローラー装置を設けることを特徴とする、請求項６記載のハンガー装置付き椅子の構造。
【請求項９】
前記上蓋鉄片の凹み溝内部に阻止塊を設けることを特徴とする、請求項６記載のハンガー装置付き椅子の構造。
【請求項１０】
前記上蓋鉄片の凹み溝内部に戻り装置を設けることを特徴とする、請求項６記載のハンガー装置付き椅子の構造。
【請求項１１】
前記上蓋鉄片の凹み溝内部に複数組の固定孔を設けることを特徴とする、請求項６記載のハンガー装置付き椅子の構造。
【請求項１２】
前記昇降函固定片は上蓋鉄片に固定して結合することを特徴とする、請求項１記載のハンガー装置付き椅子の構造。
【請求項１３】
前記昇降函固定片に複数組の歯形溝を設けることを特徴とする、請求項１２記載のハンガー装置付き椅子の構造。
【請求項１４】
前記椅子背もたれ固定装置はＬ字形であることを特徴とする、請求項１記載のハンガー装置付き椅子の構造。
【請求項１５】
前記椅子背もたれ固定装置上に複数組の固定孔を設けることを特徴とする、請求項１４記載のハンガー装置付き椅子の構造。
【請求項１６】
前記椅子背もたれ固定装置上に複数組の結合部材を設けることを特徴とする、請求項１４記載のハンガー装置付き椅子の構造。
【請求項１７】
前記ハンガー装置はハンガー梁と結合部材を設けることを特徴とする、請求項１記載のハンガー装置付き椅子の構造。
【請求項１８】
前記ハンガー装置と調節棒装置はＴ字形であることを特徴とする、請求項１７記載のハンガー装置付き椅子の構造。
【請求項１９】
前記ハンガー梁上に滑り防止装置を設けることを特徴とする、請求項１７記載のハンガー装置付き椅子の構造。
【発明の詳細な説明】
【技術分野】
【０００１】
本発明は一種のハンガー装置付き椅子の構造に関わるもので、ローラー装置を調節棒装置の上蓋鉄片に設け、接触面を減少することにより、昇降歯形片作動時の摩擦力を和らげるハンガー装置付きの椅子の構造に関するものである。
【背景技術】
【０００２】
図１に示すものは、公知技術のハンガー装置付き椅子の立面図である。この椅子１０は主に椅子背もたれ１３にハンガー装置１４を設け、利用者の衣服をこのハンガー装置１４に掛けることができて、衣服のしわの発生や落下を避けることができる。このハンガー装置本体は、円弧状の横棒を横棒固定軸１４１に取り付け、長い調節棒１４２に締めつけてＴ字形に形成する。座席１２は台座１１の上面に設けられる。
公知技術のハンガー装置付き椅子にあっては、その横棒固定軸１４１が短すぎるため、取り付けられた円弧状横棒が左右不安定にぐらつき、また円弧状横棒１４１が片辺に傾斜して、横棒固定軸１４２の一端が露出するため利用者に危険を与えることのほか、衣服の落下等が起こりやすい。
さらに、公知技術のハンガー装置付き椅子は、椅子背もたれ固定装置１５と座席１２に連結し、逆Ｕ字形の長い調節棒１４２を固定函１４３に通しておき、調節棒１４２と固定函１４３との接触により滑り移動させるようになっている。利用者は調節棒１４２を適切な位置に調節した後、固定部材１６で固定する。
しかし、この公知技術のハンガー装置付き椅子は、その調節棒１４２が緩衝するための切り込みを設けていないため、利用者はハンガー装置付き椅子の高さを調節するときに、片手でハンガー装置１４を持ちながら、もう一つの手でハンガー装置１４を適切な高さに調節してから、固定部材(挿しピンまたはねじ)１６でもって、ハンガー装置１４を適切な位置に固定しなければならず、極めて不便を感じる。
さらに、公知技術のハンガー装置付き椅子の調節棒１４２は長い棒形状であり、負荷の作用する場所は固定部材１６の一カ所しかなく、利用者の座り方の不良または不当操作により、調節棒１４２の破損が起きる。さらに、利用者が公知技術のハンガー装置付き椅子を使用するとき、調節棒１４２は逆U字形固定函と面を接触しながら滑り移動するため、極めて大きい摩擦抵抗力により、その調節がうまくできない。また、椅子１０の支持力を強化するため、通常は金属製の調節棒１４２と固定函１４３の組み合わせを使用するが、金属製部材が滑り移動するときの摩擦により、表面メッキ層の剥がれて腐食したり、製品寿命が短縮する。
【０００３】
公知技術のハンガー装置付き椅子の構造は、調節棒１４２に適切な緩衝切り込みが設けられていないために、不注意によってハンガー装置１４を最小高度に落としたときに、指が挟まれる等の事故をしばしば引き起こした。さらに、調節棒１４２が固定函１４３の外側に繰り出されているから、調節棒１４２が脱落するなど、安全が脅かされる恐れがある。
【０００４】
公知技術のハンガー装置付き椅子の構造は面を接触しながら滑り移動した後、固定部材で適切な高さに固定必要がある。このような調節方式は、手間がかかるほか、指を怪我する恐れがある。さらに、椅子の支持力を強化するため、その調節棒は金属製部材を使用し、固定函と組み合わせる。このため、より高い摩擦抵抗力を引き起し、順調に作動することができない。一方、金属製部材は摩擦後、さびや腐食を発生し、製品寿命を短縮する。
【発明の開示】
【発明が解決しようとする課題】
【０００５】
本発明の主な目的は、複数組の円柱形状ローラー装置を調節棒装置の上蓋鉄片の凹み溝に設け、このローラー装置は設置位置にて転がり運動を引き起こす。ハンガー装置の高さを調節するときに、金属製の昇降歯形片は上蓋鉄片の凹み溝において、滑り移動する。昇降歯形片はローラー装置と線で接触する一種のハンガー装置付き椅子の構造を提供することにある。
【０００６】
本発明の次の目的は、調節棒装置とハンガー装置は利用者の好みに従い昇降操作した後、掛ける方式で調節棒装置を適切な位置に調節して固定した後、上蓋鉄片の阻止塊を昇降歯形片の歯形溝に嵌め込み、昇降歯形片の滑り移動を阻止する。さらに、上蓋鉄片の戻り装置により、昇降歯形片を自在に滑り移動する状態に戻すことができる。この方法は、公知技術の固定部材を調節棒に締めつけるような煩雑な手間を省くことができ、簡単操作で敏速な滑り移動または固定する一種のハンガー装置付き椅子の構造を提供することにある。
【０００７】
本発明さらに一つの目的は一種のハンガー装置付き椅子の構造を提供し、長い棒形状の歯形は昇降歯形片中央部内面に中空体を設け、この長い棒形状の歯形は昇降歯形片の端面に突き出さないため、昇降歯形片が脱落する恐れがなく、さらに、この昇降歯形片の歯形は適切な位置に歯形溝を設けて、昇降歯形片が最小高度に落としても指を怪我する恐れがなく安全である一種のハンガー装置付き椅子の構造を提供することにある。
【０００８】
本発明さらに一つの目的は、椅子背もたれケースの上部端面にハンガー装置のハンガー梁と同じ幅のハンガー収容室を設け、このハンガー収容室は、ハンガー装置のハンガーを椅子背もたれの裏側に収容するとき、ハンガー収容室に隠しておき、本発明のハンガー装置付き椅子の構造の外観、視覚上により全体性を表現する、一種のハンガー装置付き椅子の構造を提供することにある。
【課題を解決するための手段】
【０００９】
本願の第１発明は、座席と台座と椅子背もたれハンガー装置と調節棒装置とより構成し、前記座席は台座上面に設けられ、椅子背もたれを連結して設け、前記台座は座席の下部端面に連結して設け、前記椅子背もたれは椅子背もたれ本体と椅子背もたれケースより構成し、前記ハンガー装置は、調節棒装置および椅子背もたれ固定装置に連結し、前記調節棒装置は昇降歯形片、昇降函固定片及び上蓋鉄片とにより構成し、前記調節棒装置に昇降歯形片の作動時の摩擦力を和らげるローラー装置を設けたことを特徴とする、ハンガー装置付き椅子の構造を提供する。
本願の第２発明は、前記調節棒装置はハンガー装置を駆動して、昇降滑り移動を操作することを特徴とする、前記第１発明のハンガー装置付き椅子の構造を提供する。
本願の第３発明は、前記昇降歯形片は長い棒形状部材であることを特徴とする、前記第１発明のハンガー装置付き椅子の構造を提供する。
本願の第４発明は、前記昇降歯形片上に歯形を設けることを特徴とする、前記第３発明のハンガー装置付き椅子の構造を提供する。
本願の第５発明は、前記昇降歯形片上に複数組の歯形溝を設けることを特徴とする、前記第３発明のハンガー装置付き椅子の構造を提供する。
本願の第６発明は、前記上蓋鉄片の中央部に凹み溝を設けることを特徴とする、前記第１発明のハンガー装置付き椅子の構造を提供する。
本願の第７発明は、前記凹み溝が昇降歯形片を収容できることを特徴とする、前記第６発明のハンガー装置付き椅子の構造を提供する。
本願の第８発明は、前記上蓋鉄片の凹み溝内部にローラー装置を設けることを特徴とする、前記第６発明のハンガー装置付き椅子の構造を提供する。
本願の第９発明は、前記上蓋鉄片の凹み溝内部に阻止塊を設けることを特徴とする、前記第６発明のハンガー装置付き椅子の構造を提供する。
本願の第１０発明は、前記上蓋鉄片の凹み溝内部に戻り装置を設けることを特徴とする、前記第６発明のハンガー装置付き椅子の構造を提供する。
本願の第１１発明は、前記上蓋鉄片の凹み溝内部に複数組の固定孔を設けることを特徴とする、前記第６発明のハンガー装置付き椅子の構造を提供する。
本願の第１２発明は、前記昇降函固定片は上蓋鉄片に固定して結合することを特徴とする、前記第１発明のハンガー装置付き椅子の構造を提供する。
本願の第１３発明は、前記昇降函固定片に複数組の歯形溝を設けることを特徴とする、前記第１２発明のハンガー装置付き椅子の構造を提供する。
本願の第１４発明は、前記椅子背もたれ固定装置はＬ字形であることを特徴とする、前記第１発明のハンガー装置付き椅子の構造を提供する。
本願の第１５発明は、前記椅子背もたれ固定装置上に複数組の固定孔を設けることを特徴とする、前記第１４発明のハンガー装置付き椅子の構造を提供する。
本願の第１６発明は、前記椅子背もたれ固定装置上に複数組の結合部材を設けることを特徴とする、前記第１４発明のハンガー装置付き椅子の構造を提供する。
本願の第１７発明は、前記ハンガー装置はハンガー梁と結合部材を設けることを特徴とする、前記第１発明のハンガー装置付き椅子の構造を提供する。
本願の第１８発明は、前記ハンガー装置と調節棒装置はＴ字形であることを特徴とする、前記第１７発明のハンガー装置付き椅子の構造を提供する。
本願の第１９発明は、前記ハンガー梁上に滑り防止装置を設けることを特徴とする、前記第１７発明のハンガー装置付き椅子の構造を提供する。
【発明の効果】
【００１０】
本発明に係るハンガー装置付き椅子の構造は、ハンガー装置の高さ調節の不便を解消できるほか、ハンガー装置の昇降を快速に行え、しかも外観上の美化を図れるという効果を実現できる。
【発明を実施するための最良の形態】
【００１１】
図２に示すものは、本発明のハンガー装置付き椅子の構造の立面概略図である。
椅子２０は主に台座２１、座席２２および椅子背もたれ２３により構成する。
椅子２２と椅子背もたれ２３はＬ形の椅子背もたれ固定装置２５に連結して固定する。
この椅子背もたれ２３は椅子背もたれ本体２３１および椅子背もたれケース２３２を設け、椅子背もたれ本体２３１の背部に椅子背もたれ固定装置２５と調節棒装置２６を設ける。
【００１２】
椅子背もたれ本体２３１の上部にはハンガー装置２４を設ける。ハンガー装置２４は衣服がしわになることなく、便利に掛けることができる。
【００１３】
椅子背もたれケース２３２の上部端面にはハンガー装置２４のハンガー梁２４１の幅と同様なハンガー収容室２３２１を設ける。
ハンガー収容室２３２１はハンガー装置２４のハンガー梁２４１を椅子背もたれ２３の後ろ側に収納するとき、ハンガー収容室２３２１に隠しておくためのものである。これにより、本発明のハンガー装置付き椅子の全体の外観が、視覚的に優れる。
【００１４】
さらに、椅子背もたれ固定装置２５および調節棒装置２６は椅子背もたれ本体２３１の背部に固定するとき、椅子背もたれケース２３２を戻して、椅子背もたれ本体２３１に固定し、一部の調節棒装置２６および椅子背もたれ固定装置２５を椅子背もたれ２３に覆うことで、湿気、さび、腐食を防止し、外観美化の目的を実現できる。
【００１５】
図３に示すものは、本発明のハンガー装置付き椅子の構造分解図である。
椅子背もたれ本体２３１および椅子背もたれケース２３２の間にハンガー装置２４、椅子背もたれ固定装置２５および調節棒装置２６を設ける。
【００１６】
このハンガー装置２４はハンガー梁２４１および結合部材２４２を具備し、ハンガー装置２４は調節棒装置２６の上部端面に設ける。
ハンガー梁２４１の両端には、衣服の滑り落としを防止する滑り防止装置２４３を設ける。
【００１７】
滑り防止装置２４３は突起状の顆粒体またはその他高い摩擦抵抗力材質を使用する。
椅子背もたれ固定装置２５は全体をL字形に形成し、その上部には複数組の結合部材２５２を取り付けるための複数組の固定孔２５１を穿設して形成する。
固定孔２５１および結合部材２５２により、椅子背もたれ固定装置２５を椅子背もたれ本体２３１に固定する。
【００１８】
調節棒装置２６は上蓋鉄片２６１、昇降歯形片２６２、昇降函固定片２６３および連結片２６４の順番で組み合わせる。
調節棒装置２６は椅子背もたれ本体２３１の背面に締めつけて、その上にハンガー装置２４と連結する。
【００１９】
図４に示すものは、本発明のハンガー装置付き椅子の局部拡大図である。
調節棒装置２６の上蓋鉄片２６１の中央部には凹み溝２６１１を設ける。
【００２０】
凹み溝２６１１の大きさは昇降歯形片２６２を収容でき、凹み溝２６１１内部に複数組のローラー装置２６１２、阻止塊２６１３およびバネ２６１４を設ける。
ローラー装置２６１２は円柱形状で、横方向から凹み溝２６１１に取り付ける。
【００２１】
調節棒装置２６の昇降歯形片２６２の中央部には長い歯形２６２１を設け、長い歯形２６２１上には複数組の歯形溝２６２２を設ける。
【００２２】
さらに図５に示すものは、本発明ハンガー装置付き椅子の構造の断面概略図である。
調節棒装置２６は、昇降操作した後、掛け止め方式により、調節棒装置２６を適切な位置に固定することが分かる。
利用者の好みに従い昇降歯形片２６２を適切な位置に滑り移動した後、上蓋鉄片２６１の阻止塊２６１３により、昇降歯形片２６２の歯形溝２６２２に嵌め込み、昇降歯形片２６２の滑り移動を阻止しておく。再び調節棒装置２６とハンガー装置２４の高さの調節が必要なときは、上蓋鉄片２６１のバネ２６１４により、昇降歯形片２６２を滑り移動可能な状態にする。
【００２３】
図６に示すものは、本発明のハンガー装置付き椅子の構造実施例の概略図である。
衣服のサイズに合わせて、ハンガー装置を昇降調節できる。
さらに、一部の構成部品を椅子背もたれに覆うことは、椅子２０の美観を維持できることのほかに、衣服２7が互いに引っ掛かることを防止できる。
【００２４】
本発明に係るハンガー装置付き椅子の構造は、公知技術のハンガー装置調節の不便を解消できるほか、快速昇降および外観美化の効果を実現できる。
【図面の簡単な説明】
【００２５】
【図１】公知技術のハンガー装置付き椅子の構造の立面図である。
【図２】本発明のハンガー装置付き椅子の構造の立面図である。
【図３】本発明のハンガー装置付き椅子の構造の構造分解図である。
【図４】本発明のハンガー装置付き椅子の構造の局部拡大図である。
【図５】本発明のハンガー装置付き椅子の構造の断面概略図である。
【図６】本発明のハンガー装置付き椅子の構造の実施例の概略図である。
【符号の説明】
【００２６】
１０・・・・・・椅子
１２・・・・・・座席
１３・・・・・・椅子背もたれ
１４・・・・・・ハンガー装置
１４１・・・・・横棒固定軸
１４２・・・・・調節棒
１５・・・・・・椅子背もたれ固定装置
１４３・・・・・固定函
１６・・・・・・固定部材
２０・・・・・・椅子
２１・・・・・・台座
２２・・・・・・座席
２３・・・・・・椅子背もたれ
２３１・・・・・椅子背もたれ本体
２３２・・・・・椅子背もたれケース
２３２１・・・・ハンガー収容空間
２４・・・・・・ハンガー装置
２４１・・・・・ハンガー梁
２５・・・・・・椅子背もたれ固定装置
２５１・・・・・固定孔
２５２・・・・・結合部材
２６・・・・・・調節棒装置
２６１・・・・・上蓋鉄片
２６１１・・・・凹み溝
２６１２・・・・ローラー装置
２６１３・・・・阻止塊
２６１４・・・・バネ
２６２・・・・・升降歯形片
２６２１・・・・歯形
２６２２・・・・歯形溝
２６３・・・・・昇降函固定片
２６４・・・・・連結片
【図１】
2007075584.tif 000003
【図２】
2007075584.tif 000004
【図３】
2007075584.tif 000005
【図４】
2007075584.tif 000006
【図５】
2007075584.tif 000007
【図６】
2007075584.tif 000008